(57)【要約】【課題】文書データを登録した際にキー文書を作成し、このキー文書によって文書データを読み出す情報処理装置において、キー文書を参照するだけで文書データの属性を把握できるようにすること。【解決手段】本発明は、電子データを識別情報と対応させて格納する蓄積装置１３と、識別情報を含むコード情報を有するキー文書を生成するキー文書作成装置２４と、キー文書作成装置２４手段で作成されたキー文書を印刷出力する出力装置１４とを備える情報処理装置であり、このキー文書作成装置２４が、蓄積装置１３に格納した電子データの属性に応じた情報を付加してキー文書を生成するものである。【選択図】図２
2006092067.tif 000002
【特許請求の範囲】
【請求項１】
電子データを識別情報と対応させて格納する記憶手段と、
前記識別情報を含むコード情報を有するキー文書を生成するキー文書作成手段と、
前記キー文書作成手段で作成されたキー文書を印刷出力する出力手段とを備える情報処理装置において、
前記キー文書作成手段は、前記記憶手段に格納した電子データの属性に応じた情報が付加されたキー文書を生成する
ことを特徴とする情報処理装置。
【請求項２】
前記キー文書作成手段は、前記電子データの属性に応じて異なるマークを付加したキー文書を生成する
ことを特徴とする請求項１記載の情報処理装置。
【請求項３】
前記電子データの属性はカラーデータであるか単色データであるかの情報である
ことを特徴とする請求項１記載の情報処理装置。
【請求項４】
前記電子データの属性はページ数の情報である
ことを特徴とする請求項１記載の情報処理装置。
【請求項５】
前記電子データの属性は印刷用紙サイズの情報である
ことを特徴とする請求項１記載の情報処理装置。
【請求項６】
前記キー文書作成手段によって生成される電子データのキー文書はカラーデータであり、
前記出力手段から印刷出力されるキー文書は単色である
ことを特徴とする請求項１記載の情報処理装置。
【請求項７】
電子データを識別情報と対応させて格納する記憶手段と、
前記識別情報を含むコード情報を有するキー文書を生成するキー文書作成手段と、
前記キー文書作成手段で作成されたキー文書を印刷出力する出力手段とを備える情報処理装置において、
前記キー文書作成手段は、前記電子データがカラーデータである場合にはカラーデータから成るキー文書を生成し、前記電子データが単色データである場合には単色データから成るキー文書を生成する
ことを特徴とする情報処理装置。
【請求項８】
キー文書を読み込んで、そのキー文書と対応する電子データを記憶手段から選択して出力する情報処理装置において、
前記キー文書を読み込んだ際、そのキー文書と対応する電子データの属性を表示する表示手段を備えている
ことを特徴とする情報処理装置。
【発明の詳細な説明】
【技術分野】
【０００１】
本発明は、電子データを識別情報と関連付けて記憶手段するとともにキー文書を生成しておき、読み出す際には電子データに対応したキー文書を用いて記憶手段から対応する電子データを抽出し出力する情報処理装置に関する。
【背景技術】
【０００２】
画像ファイリング装置や複写機などの情報処理装置は、従来様々な機能を持つものがある。特に、画像データを予め蓄積しておき、ユーザの指示に従って画像データを読み出し出力する機能を持つ複写機（リポジトリコピー）も従来から知られている。
【０００３】
また、オフィスなどにおいては紙文書の蓄積スペースが不足しているので、紙文書を画像ファイリング装置等で電子化して蓄積することも行われている。さらに、このようなファイリング機能を組み込んだ複写機も存在する。
【０００４】
ここで、蓄積されたデータを取り出す方法として例えば特許文献１では、蓄積データを探し出すための検索キーを紙に記載しておき、この紙を読み込む（スキャン）することで、検索キーをスキャンデータから抽出している。そして、この検索キーに基づいて蓄積装置から所望のデータを引き出し、印刷するなどして取得するようにしている。
【０００５】
この方法では、例えば複数ページからなる報告書を蓄積しておき、その報告書の表紙に探し出すための情報（検索キー）を付与しておけば、１枚の表紙を読み込むだけで報告書全文を印刷することが可能となる。
【０００６】
このような動作は、装置に紙を入力して印刷物が出力されるので、複写機の動作と似ている。異なるのは、複写機では入力された紙（原稿）を複写して印刷出力するが、このような装置で出力されるのは入力された紙にある「探し出すための情報」に基づいて蓄積装置（リポジトリ）からデータを引き出して出力する点にある。このような装置の動作を、本明細書中では「リポジトリコピー」と呼ぶことにする。
【０００７】
リポジトリコピーでは、予め文書を蓄積手段に登録しておくとともに、「探し出すための情報」を備えたキー文書を作成する必要がある。文書の登録およびキー文書の作成の方法には、例えば、特許文献２に示される方法がある。
【０００８】
特許文献２では、スキャンした画像データを識別子と関連付けて記憶部に記憶し、識別子をコード化した情報をつけて印刷し（キー文書）、このキー文書を複合機等のスキャナで読み取った時に、識別子と関連付けられた画像データを記憶部から読み出して印刷する技術が開示されている。また、このようなキー文書を用いたリポジトリコピーにおいて、記憶部に記憶した電子データがカラー画像の場合であってもキー文書を白黒で印刷しておき、キー文書をスキャンして記憶部から電子データを読み出し、印刷する場合にはカラーで印刷する技術も開示されている。
【０００９】
【特許文献１】特許第３１７５３６４号明細書
【特許文献２】特開２００３−２５９０４２号公報
【発明の開示】
【発明が解決しようとする課題】
【００１０】
しかしながら、上記のような従来技術ではキー文書は常に白黒で印刷されるため、記憶部に登録されている文書がカラーなのか白黒なのか、キー文書を持っているユーザには判別できない。また、登録された文書がどの位のページ数であるのか、印刷サイズはどの位なのかといった属性に関する情報も分からない。したがって、ユーザはキー文書を用いてリポジトリコピーを行い、その結果出力される文書を見て初めて登録されている文書がカラーであるか白黒であるかやページ数、サイズを判別できることになる。一般にカラー出力は白黒出力に比べてコスト高となるとともに、カラーの出力時間は白黒出力に比較して長い。そのため不用意なカラー出力は、ユーザに対して不都合を生じさせる原因となる。
【課題を解決するための手段】
【００１１】
本発明はこのような課題を解決するために成されたものである。すなわち、本発明は、電子データを識別情報と対応させて格納する記憶手段と、識別情報を含むコード情報を有するキー文書を生成するキー文書作成手段と、キー文書作成手段で作成されたキー文書を印刷出力する出力手段とを備える情報処理装置であり、このキー文書作成手段が、記憶手段に格納した電子データの属性に応じた情報を付加してキー文書を生成するものである。
【００１２】
このような本発明では、電子データを記憶手段に格納した際に生成されるキー文書に、その電子データの属性に応じた情報が付加されるため、キー文書を参照すれば対応する電子データのカラー情報やページ情報、サイズ情報といった属性を把握できるようになる。
【００１３】
また、本発明は、キー文書を読み込んで、そのキー文書と対応する電子データを記憶手段から選択して出力する情報処理装置であり、キー文書を読み込んだ際、そのキー文書と対応する電子データの属性を表示する表示手段を備えているものである。
【００１４】
このような本発明では、電子データを記憶手段に格納した際に生成されるキー文書を読み込むことで、その電子データの属性に応じた情報が表示手段に表示されるため、電子データを出力しなくてもその電子データのカラー情報やページ情報、サイズ情報といった属性を参照できるようになる。
【発明の効果】
【００１５】
したがって、本発明によれば、ユーザはキー文書を参照するだけでそのキー文書に対応した電子データがカラーデータであるか否か、また何ページあるのか、サイズはどのくらいかといった属性情報を把握でき、電子データを出力しなくても出力時のイメージを認識することが可能となる。これにより、キー文書を用いて電子データを印刷出力する際の無駄を無くすことができ、ユーザの不都合を解消することが可能となる。
【発明を実施するための最良の形態】
【００１６】
以下、本発明の実施の形態を図に基づき説明する。先ず、図１に基づきリポジトリコピーについて説明する。なお、この説明において、文書ＩＤとは、蓄積された文書を一意に特定するための識別番号情報のことを示し、また、キー文書とは、リポジトリコピーにおいて、文書を引き出すための、文書ＩＤが付与された文書（文書ＩＤがコード情報として付与されたものを含む）を示す。
【００１７】
図１はリポジトリコピーの概要を説明する模式図である。キー文書１にはバーコードや電子透かしなどの情報記述手段（コード情報）によって文書ＩＤ情報が書き込まれている。このキー文書１をスキャナなどの入力装置１０で読み込む。読み込まれた画像データは解析装置１１に送られる。解析装置１１は画像データからコード情報の領域を何らかの手段で特定し、その領域からコード情報に含まれる文書ＩＤ等の情報を抽出する。検索装置１２は解析装置１１で抽出した文書ＩＤに基づいて、蓄積装置１３に蓄積されている文書データを検索する。その文書ＩＤに相当する文書データが見つかった場合にはプリンタやディスプレイなどの出力装置１４に文書データを送り出し、ネットワークを介して送信したり、用紙に印刷出力する。
【００１８】
このようなリポジトリコピーの動作を行う構成要素（図中破線枠内）はデジタル複写機の構成要素とよく似ている。したがって、デジタル複写機にリポジトリコピーの機能を実装することが可能である。デジタル複写機にリポジトリコピーの機能を実装することで、複写を取る感覚で蓄積された文書データを引き出すことが可能となる。
【００１９】
また、リポジトリコピーは、複写機のプラテンで読み込んだ画像データをそのまま出力するのではなく、蓄積されたオリジナル原稿を再度出力（印刷）するので、入力した紙文書にあった折り目や汚れなどの影響を受けない。またプラテンから読み込んだ際のノイズや、紙文書から画像データへの変換での文字のエッジなどの劣化なども発生しないので、繰り返しコピーによる画質劣化が生じないというメリットもある。
【００２０】
次に、リポジトリコピーを行うにあたり、予め文書データを蓄積装置に登録しておく際の手順を図２に基づき説明する。なお、ここでは紙文書を登録する場合を中心に説明する。
【００２１】
先ず、ユーザは登録したい紙文書をスキャナなどの入力装置１０に入力する。入力装置１０は紙文書の画像を読み取ってラスターデータとして後段に出力する。後段にある色空間判定装置２１はラスターデータを受け取り、ラスターデータの色空間を判定する。色空間変換装置２２は色空間判定装置２１の結果を受け取り、色空間が白黒と判定された場合には、入力されたラスターデータを白黒に変換する処理を行う。
【００２２】
ＩＤ算出装置２３は色空間変換後のラスターデータを受け取り、文書ＩＤの値を計算する。文書ＩＤの値は重複していなければよい。文書ＩＤの計算方法は、例えばラスターデータのハッシュ値を用いてもよい。あるいは蓄積装置１３で使われていない文書ＩＤの値を用いてもよい。
【００２３】
蓄積装置１３は計算された文書ＩＤの値とラスターデータとを対応付けて蓄積保管し、必要に応じて文書ＩＤの値に基づいてラスターデータを抽出、出力する処理を行う。キー文書作成装置２４は、色空間変換後のラスターデータと文書ＩＤの値と色空間判定結果に基づいて、キー文書１を作成する。
【００２４】
出力装置１４はキー文書１を紙文書に印刷出力する。なお、出力装置１４は紙に印刷したキー文書１の出力以外にも、キー文書１の体裁を保った電子データから成るキー文書（電子キー文書）を出力してもよい。
【００２５】
出力されるキー文書１には、登録した文書データと対応した文書ＩＤや他の情報（例えば、ファイル属性）をコード化したコード情報が埋め込まれている。埋め込む方法としては、一次元バーコードや二次元バーコードなどの可視の情報を埋め込んだり、電子透かしなど不可視の情報を埋め込むようにする。
【００２６】
また、コード情報を埋め込む場所（位置）は、キー文書１の決められた場所に固定でもよいし、自由でも良い。なお、埋め込み場所が自由の場合には、埋め込み場所を特定もしくは推定する手段が必要となる。
【００２７】
ここで、文書のラスターデータから色空間を判定する方法について説明する。判定方法はＲ（赤）、Ｇ（緑）、Ｂ（青）のデータ毎にヒストグラムを作成し、ヒストグラムの分布状態で判定する。ＲＧＢ各々のヒストグラムの分布が両端に分布し、中間調の値が存在せず、ＲＧＢの各々ヒストグラム形状が同じ場合には、入力されたラスターデータは白黒であると判定できる。一方、ＲＧＢ各々のヒストグラム形状が異なり、かつ中間調の値が多数存在する場合には、そのラスターデータはカラーであると判定できる。
【００２８】
次に、色空間の変換方法について説明する。先ず、ラスターデータをＲＧＢ色空間からＬ*ａ*ｂ*やＹＣｂＣｒ等の輝度色差系の色空間に変換し、その輝度成分を二値化することで、白黒画像に変換することができる。
【００２９】
このようなリポジトリコピーを行う情報処理装置において、本実施形態では、キー文書に、出力される文書がカラーであるか白黒（単色を含む）であるかを示す情報を付加している点に特徴がある。すなわち、ユーザが文書データの登録を行った際に出力されるキー文書に、登録した文書データがカラーであるか白黒であるかを示す情報をキー文書に埋め込むようにしている。この情報を埋め込む例を以下に示す。
【００３０】
（１）文書ＩＤに色情報を加えて、キー文書上に埋め込み、キー文書を読み込んだ際に情報処理装置のディスプレイ（ＵＩ画面：ユーザインタフェース画面）に表示する。
（２）色情報に応じて識別コードを埋め込むマークの絵柄を変更する。すなわち、登録した文書がカラーならば、カラーであることを示すマーク、白黒なら白黒であることを示すマークを用いる。なお、この場合には、マークに電子透かしなど不可視の情報埋込であることが必須である。
（３）登録した文書がカラーであればキー文書をカラーで出力し、白黒であればキー文書を白黒で出力する。
【００３１】
図３は、上記（１）に示すユーザインタフェース画面への表示例を説明する模式図である。文書データを登録した際に出力されたキー文書１を入力装置１０（図１参照）でスキャンすると、先に説明した手順でコード情報を解析し、そのコード情報から登録された文書データがカラーであるか白黒であるかの情報を取得する。そして、白黒であった場合には図３（ａ）に示すように情報処理装置のユーザインタフェース画面に「この文書は白黒です」等のメッセージを表示し、カラーであった場合には図３（ｂ）に示すように「この文書はカラーです」等のメッセージを表示する。これにより、ユーザはキー文書１をスキャンしただけでそのキー文書１に対応する登録文書データがカラーであるのか白黒であるのかを判別できるようになる。
【００３２】
図４は、上記（２）に示すマークの絵柄を変更する例を説明する模式図である。情報処理装置のキー文書作成装置２４（図２参照）は、ユーザが文書データを登録した際にキー文書１を生成するが、そのキー文書１には文書ＩＤを含むコード情報が付加されている。このコード情報が所定の絵柄に例えば電子透かしとして埋め込まれている場合、その絵柄を文書データがカラーか白黒かによって変更する。例えば、文書データが白黒である場合には図４（ａ）に示すような絵柄を用いてコード情報を埋め込み、カラーである場合には図４（ｂ）に示すような絵柄を用いてコード情報を埋め込む。これにより、ユーザはキー文書１に示される絵柄によってそのキー文書１に対応した文書データがカラーであるか白黒であるかの判別を行うことができる。
【００３３】
図５は、上記（３）に示すキー文書の印刷色を変更する例を説明する模式図である。この例では、情報処理装置のキー文書作成装置２４（図２参照）がキー文書１を生成するにあたり、対応する文書データが白黒の場合にはキー文書１を白黒で出力し、カラーの場合にはカラーで出力している。すなわち、文書データが白黒である場合には図５（ａ）に示すようにキー文書１の全体を白黒で出力し、カラーである場合には図５（ｂ）に示すようにキー文書１をカラーで出力する。これにより、ユーザはキー文書１自体がカラーか白黒かによってそのキー文書１に対応した文書データがカラーであるか白黒であるかを判別できるようになる。
【００３４】
いずれにおいてもユーザはキー文書１をスキャンして対応する文書データを出力するにあたり、文書データを実際に出力しなくてもキー文書１の段階で文書データがカラーであるのか白黒であるのかの判別を行うことができ、その後の処理条件を無駄なく指示できるようになる。
【００３５】
ここで、カラーで登録されている文書データを白黒で出力する場合の例を説明する。先に示した例でキー文書から登録文書がカラーであることが分かった場合でも、ユーザはカラー印刷ではなく白黒で文書を出力したいこともある。この場合、ユーザはユーザインタフェースを操作して白黒印刷を指定して出力することができる。
【００３６】
また、図６に示すキー文書１のように、キー文書にチェックボックス等を設置しておき、チェックボックスにチェックを入れてスキャンすることで、解析装置１１（図１参照）の解析によって印刷条件が白黒であることを検出し、ポジトリコピーする際には登録文書がカラーであっても白黒に変換して出力できるようにする。
【００３７】
次に、キー文書による属性表示を行う例を説明する。本実施形態の情報処理装置では、文書データを文書ＩＤと関連付けて蓄積装置に記憶するが、この文書データに関わる属性情報も対応付けて記憶してもよい。また、キー文書には、文書ＩＤと属性情報とをコード情報に埋め込んだものを付加してもよい。
【００３８】
図７は、属性情報を記憶する情報処理装置の例を説明するブロック図である。すなわち、この情報処理装置は、入力装置１０、文書属性判定装置３１、ＩＤ算出装置２３、蓄積装置１３、キー文書作成装置２４および出力装置１４から構成される。
【００３９】
情報処理装置は、紙文書のデータを登録する場合にはスキャナなどの入力装置１０から文書をラスターデータとして入力する。また、文書データが電子文書の場合、入力装置１０はネットワークなどの外部から電子文書を受け取るインタフェースとなる。ＩＤ算出装置２３はラスターデータを受け取り、文書ＩＤを計算する。文書ＩＤの値は重複していなければよく、例えばラスターデータのハッシュ値を用いてもよい。あるいは蓄積装置１３で使われていない文書ＩＤの値を用いてもよい。
【００４０】
文書属性判定装置３１は、ラスターデータから文書属性を判定する処理を行う。キー文書作成装置２４は文書ＩＤと文書属性とラスターデータとからキー文書１を生成する。出力装置１４はキー文書１をプリンタなどで紙に印刷する。なお、出力装置１４はキー文書１の体裁を保った電子キー文書を出力してもよい。
【００４１】
図８は、文書属性判定装置の内部ブロック図である。文書属性判定装置３１は、色空間判定部３１１、サイズ／方向判定部３１２、文字写真判定部３１３、ページ数判定部３１４、日時判定部３１５を備えている。
【００４２】
紙文書のデータを登録する場合、色空間判定部３１１は、ＲＧＢ毎にヒストグラムを作成し、ヒストグラムの分布状態で判定する。ＲＧＢ各々のヒストグラムの分布が両端に分布し、中間調の値が存在せず、ＲＧＢの各々ヒストグラム形状が同じ場合には、入力されたラスターデータは白黒であると判定できる。また、ＲＧＢ各々のヒストグラム形状が異なり、かつ中間調の値が多数存在する場合には、そのラスターデータはカラーであると判定できる。
【００４３】
サイズ／方向判定部３１２は、入力されたラスターデータの縦横サイズと解像度とから用紙サイズを判定する。また縦横サイズの比率から、その文書が縦長か横長かを判定する。
【００４４】
文字写真判定部３１３は、読み込んだデータの輝度成分のヒストグラムを作成する。そして、そのヒストグラム分布が離散的な場合には文字画像と判定し、分布が連続的な場合には写真画像と判定する。どちらにも判定不能の場合には、文字写真混在と判定する。なお、既存の他の方法で判定してもよい。
【００４５】
ページ数判定部３１４は、入力されたラスターデータの個数からページ数を判定する処理を行う。日時判定部３１５は、入力装置でスキャンされた日時を作成日時とする。
【００４６】
また、登録する文書データが電子文書の場合には、その電子文書に付加された属性情報等を解析して白黒かカラーの判定、サイズ、方向の判定、文字／写真の判定、ページ数の判定、日時の判定を行う。電子文書の場合、ページ記述言語などに変換したあとで属性を判定してもよい。あるいはラスター画像に変換した後で、上記の紙文書の属性判定と同様の手順で判定してもよい。
【００４７】
このような構成によって文書データの属性情報を得た後は、この属性情報と文書ＩＤと文書データとを対応させて蓄積装置１３（図７参照）に格納する。また、キー文書１を作成する際には、この属性情報をキー文書１に反映させる。図９は、キー文書に属性情報を反映させる例を示す模式図である。図９（ａ）に示す例は、属性情報を文書ＩＤと共にコード情報として埋め込んでおき、このキー文書１をスキャンしたときにユーザインタフェース画面に文書属性情報を表示するようにしている。
【００４８】
図９（ｂ）に示す例は、キー文書１の余白領域に属性情報を記述する例である。また、図９（ｃ）に示す例は、キー文書１に登録した文書データの例えば１ページ目を縮小印刷して余白を設け、その余白に属性情報を記述する例である。
【００４９】
いずれの例でも、ユーザはキー文書１から登録文書データにアクセスしなくても、キー文書１をスキャンもしくは参照するだけで、登録文書データに関する種々の属性を得ることができ、その後の処理条件の指定を無駄なく行うことができる。なお、ここでは、属性情報を文字列で記載しているが、絵文字、アイコンなどで示してもよい。
【００５０】
また、ユーザが登録されている文書の属性とは異なる属性で出力する場合には、ユーザインタフェースを操作して指示しても、また、図６で示したように、キー文書１にチェックボックスを設けておき、このチェックボックスにチェックが入っていることで異なる属性での出力を指示してもよい。例えば、登録された文書データがカラーであることがキー文書１に明記されている場合に、ユーザがカラー印刷ではなく、白黒で文書を出力したい場合には、ユーザはユーザインタフェースを操作して白黒印刷を指定するか、あるいは、図６に示すキー文書１のチェックボックスにチェックを入れてリポジトリコピーすると、登録文書データがカラーであっても、白黒に変換して出力されることになる。これは、他の属性変更であっても同様である。
【００５１】
図１０は、キー文書の色変換を行う情報処理装置について説明するブロック図である。この情報処理装置では、文書データを蓄積装置１３に登録し、キー文書を作成するときに、紙のキー文書を紙キー文書作成装置２４ｂで作成し、これと同時に電子のキー文書を電子キー文書作成装置２４ａで作成する。この際、紙のキー文書は白黒で印刷し、電子のキー文書はカラーで作成している。
【００５２】
先ず、ユーザは登録したい紙文書をスキャナなどの入力装置１０に入力する。入力装置１０は紙文書データをラスターデータとして蓄積装置１０および色空間変換装置２２へ出力する。色空間変換装置２２は入力されたラスターデータを白黒に変換する。
【００５３】
ＩＤ算出装置２３は色空間変換後のラスターデータを受け取り、文書ＩＤの値を計算する。文書ＩＤの値は重複していなければよく、例えばラスターデータのハッシュ値を用いてもよい。あるいは蓄積装置１３で使われていない文書ＩＤの値を用いてもよい。
【００５４】
蓄積装置１３は計算された文書ＩＤの値と入力装置１０から出力されるラスターデータとを対応付けて蓄積保管し、必要に応じて文書ＩＤの値に基づいてラスターデータを抽出し、出力することができる。
【００５５】
紙キー文書作成装置２４ｂは、色空間変換後のラスターデータと文書ＩＤの値と色空間判定結果に基づいて、キー文書１を作成する。すなわち、紙キー文書作成装置２４ｂから出力されるキー文書１ｂのデータは色空間変換後のラスターデータを用いた白黒のデータとなる。
【００５６】
一方、電子キー文書作成装置２４ａは、入力されたラスターデータと文書ＩＤの値とに基づいて、電子キー文書を作成する。すなわち、電子キー文書作成装置２４ａから出力されるキー文書１ａのデータは入力装置１０で入力したラスターデータを用いたカラーのデータとなる。
【００５７】
出力装置１４は、キー文書１ｂを紙文書として印刷出力する。なお、出力装置１４は紙に印刷しなくても、キー文書の体裁を保った電子文書として出力してもよい。
【００５８】
なお、入力装置１０に入力される文書が電子文書データの場合には、上記のラスターデータの代わりに電子文書データを用いる。
【００５９】
このような情報処理装置によって、紙のキー文書１ｂは白黒、電子キー文書１ａはカラーで出力されるため、ユーザの印刷コストを低減することが可能となる。なお、紙のキー文書１ｂを白黒で印刷した場合でも、先に説明した属性情報の明記を行えば、そのキー文書１ｂに対応した文書データがカラーであるのか白黒であるのか等の属性を得ることができる。
【図面の簡単な説明】
【００６０】
【図１】リポジトリコピーを説明する図である。
【図２】文書データの登録手順を説明する図である。
【図３】ユーザインタフェース画面への表示例を示す模式図である。
【図４】マークの絵柄を変更する例を示す模式図である。
【図５】キー文書の印刷色を変更する例を示す模式図である。
【図６】チェックボックスが設けられたキー文書の例を示す模式図である。
【図７】属性情報を記憶する情報処理装置の例を説明するブロック図である。
【図８】文書属性判定装置の内部ブロック図である。
【図９】キー文書に属性情報を反映させる例を示す模式図である。
【図１０】キー文書の色変換を行う情報処理装置について説明するブロック図である。
【符号の説明】
【００６１】
１…キー文書、１０…入力装置、１１…解析装置、１２…検索装置、１３…蓄積装置、１４…出力装置、２１…色空間判定装置、２２…色空間変換装置、２３…ＩＤ算出装置、２４…キー文書作成装置
【図１】
2006092067.tif 000003
【図２】
2006092067.tif 000004
【図３】
2006092067.tif 000005
【図４】
2006092067.tif 000006
【図５】
2006092067.tif 000007
【図６】
2006092067.tif 000008
【図７】
2006092067.tif 000009
【図８】
2006092067.tif 000010
【図９】
2006092067.tif 000011
【図１０】
2006092067.tif 000012